(57)【要約】【課題】端末とモデムと回線カードと上位装置とから成り、ＡＴＭ（Ａｓｙｎｃｈｒｏｎｏｕｓ　Ｔｒａｎｓｆｅｒ　Ｍｏｄｅ：非同期転送方式）セルのデータによって通信を行なう加入者伝送装置において、前記モデムと前記回線カードの内の少なくとも一つに消費電力を低減する手段を設け、加入者伝送装置の消費電力を低減すること。【解決手段】回線カードとモデム１の内の少なくとも一つに、有効なデータの有無を監視するパケット通信監視機能４と、有効なデータの有無により送信部の起動、停止を制御する送信機能制御回路９と、該送信機能制御回路９の命令により機能停止、起動を実行する送信部６と、該送信部６が停止中に有効なデータを格納するバッファ５とを設けたことにある。【選択図】図１
2004064458.tif 000002
【特許請求の範囲】
【請求項１】
上位装置と回線カードとモデムと端末とによって構成され、前記上位装置と前記回線カードとの間及び前記モデムと前記端末との間をＡＴＭセルのデータで通信するように構成して成る加入者伝送装置において、前記回線カードと前記モデムの内の少なくとも一つに有効なデータの有無を監視するパケット通信監視機能と、有効なデータの有無により送信部の起動、停止を制御する送信機能制御回路と、該送信機能制御回路の命令により機能停止、起動を実行する送信部と、該送信部が停止中に有効なデータを格納するバッファとを備えることを特徴とする加入者伝送装置。
【請求項２】
モデムは、送信部と、該送信部に接続されるバッファと、該バッファに接続されるパケット通信監視機能と、該パケット通信監視機能からの出力を受けて前記送信部に出力する送信機能制御回路とを備えることを特徴とする請求項１に記載した加入者伝送装置。
【請求項３】
パケット通信監視機能は、該パケット通信監視機能と前記端末との間に接続されている受信部からの前記ＡＴＭセルで定義されているヘッダのセル損失優先表示ＣＬＰを監視し、該ＣＬＰの値が零の時に有効なデータと見なし、該有効なデータの有無を前記送信機能制御回路に報告するように構成して成ることを特徴とする請求項２に記載した加入者伝送装置。
【請求項４】
回線カードは、送信部と、該送信部に接続されたバッファと、該バッファに接続されるパケット通信監視機能と、該パケット通信監視機能からの出力を受けて前記送信部に出力する送信機能制御回路とを備えることを特徴とする請求項１に記載した加入者伝送装置。
【請求項５】
パケット通信監視機能は、前記上位装置からの前記ＡＴＭセルで定義されているヘッダのＣＬＰを監視し、該ＣＬＰの値が零の時に有効なデータと見なし、該有効なデータの有無を前記送信機能制御回路に報告するように構成して成ることを特徴とする請求項４に記載した加入者伝送装置。
【請求項６】
パケット通信監視機能は、前記上位装置又は前記受信部からのデータが有効な場合は前記バッファに送信し、有効でないデータの場合は廃棄するように構成して成ることを特徴とする請求項２乃至請求項５のいずれか一に記載した加入者伝送装置。
【請求項７】
送信機能制御回路は、前記パケット通信監視機能から有効なデータ無しの報告を受けた場合には前記送信部の機能を停止させ、有効なデータ有りの報告を受けた場合には前記送信部の機能を起動させるように構成して成ることを特徴とする請求項２又は請求項４に記載した加入者伝送装置。
【請求項８】
バッファは、前記送信部が機能停止中に前記パケット通信監視機能からの有効なデータを格納するように構成して成ることを特徴とする請求項２又は請求項４に記載した加入者伝送装置。
【請求項９】
送信部は、起動後前記バッファから有効なデータを取り出し、前記パケット通信監視機能の有効なデータをハイブリッド回路に送信するように構成して成ることを特徴とする請求項２又は請求項４に記載した加入者伝送装置。
【発明の詳細な説明】
【０００１】
【発明の属する技術分野】
本発明は、加入者伝送装置に関するものである。更に詳述すれば本発明は、端末とモデムと回線カードと上位装置とから成り、ＡＴＭ（Ａｓｙｎｃｈｒｏｎｏｕｓ　Ｔｒａｎｓｆｅｒ　Ｍｏｄｅ：非同期転送方式）セルのデータによってデータ通信を行なう加入者伝送装置において、前記モデムと前記回線カードの内の少なくとも一つに消費電力を低減する手段を設けた加入者伝送装置に関するものである。
【０００２】
【従来の技術】
既存の電話線を使って高速なデジタルデータ通信をすることができる加入者伝送装置（Ｓｕｂｓｃｒｉｂｅｒ　Ｌｉｎｅ　Ｔｅｒｍｉｎａｌ：ＳＬＴ）は、新しい電話サービスの基本デバイスとして急速に普及している。
【０００３】
図３は、従来の加入者伝送装置の概略構成図である。２１は加入者伝送装置、２２は端末、２３はモデム、２４は回線カード、２５は上位装置である。加入者伝送装置２１は、端末２２とモデム２３と回線カード２４と上位装置２５とが従属に接続されて構成される。モデム２３と、回線カード２４との内部には、受信部と送信部とが設けられており、ハイブリッド回路を介して相互に接続されている。データの通信は、ＡＴＭセルによって行なうように構成されている。
【０００４】
図３は又、従来の加入者伝送装置２１に係わり、端末２２と上位装置２５との間のプロトコルスタックについて示した説明図であり、ＡＴＭ（Ａｓｙｎｃｈｒｏｎｏｕｓ　Ｔｒａｎｓｆｅｒ　Ｍｏｄｅ：非同期転送方式）レイヤが、どの装置で通信されているかを示している。
【０００５】
図３に示す通り、端末２２とモデム２３との間、及び回線カード２４と上位装置２５との間は、ＡＴＭセル３１のデータで通信される。図３においてＨＴＴＰ（ＨｙｐｅｒＴｅｘｔ　Ｔｒａｎｓｆｅｒ　Ｐｒｏｔｏｃｏｌ）２６はネットワークサーバとクライアントとの通信プロトコルすなわち通信規約及び通信手順を示し、ＴＣＰ（Ｔｒａｎｓｍｉｓｓｉｏｎ　Ｃｏｎｔｒｏｌ　Ｐｒｏｔｏｃｏｌ）２７は伝送プロトコルの一つであって、ＴＣＰ／ＩＰ（Ｉｎｔｅｒｎｅｔ　Ｐｒｏｔｏｃｏｌ）のＴＣＰ部分である。ＩＰ（「アイピー」）２８はインターネットのプロトコルであって、ＴＣＰ／ＩＰのネットワーク層に相当する。さらにＰＰＰ（Ｐｏｉｎｔ−ｔｏ−Ｐｏｉｎｔ　Ｐｒｏｔｏｃｏｌ）２９はインターネットなど、ダイヤルアップで相手方コンピュータに接続するときに使うプロトコルである。またＡＡＬ（ＡＴＭ　Ａｄａｐｔａｔｉｏｎ　Ｌａｙｅｒ）３０はＡＴＭアダプテーション層であり、特にＡＡＬ５（３０）はシグナリング情報の転送、及びフレームリレーとのインターワーク用である。又、Ｅｔｈｅｒ３２は、ＬＡＮの代表的な接続方式であり、ＡＤＳＬ（Ａｓｙｍｍｅｔｒｉｃａｌ　Ｄｉｇｉｔａｌ　Ｓｕｂｓｃｒｉｂｅｒ　Ｌｉｎｅ）３３は送受非対称で伝送する導体通信方式である。ＯＣはＳＯＮＥＴで規定された光ファイバーのプロトコルや伝送速度を定めた規格であって、ＯＣ−３（３４）はＡＮＳＩが標準化した北米のディジタルハイアラーキである。
【０００６】
この加入者伝送装置２１には常時接続という利点がある一方、消費電力が大きいという問題点もあり、係る問題を解消するために以下に示すような技術が開示されている。
【０００７】
この目的で特開平７−８７２３５号公報には、複数の加入者を収容する加入者側の伝送装置と、交換機に接続された伝送装置とを、多重化された伝送路で接続する加入者伝送装置の加入者側の伝送装置に、メモリを設けて、発呼信号と着呼信号とを保持し、制御装置を設けて、加入者線の信号を送受信する加入者送受信装置中の特定の加入者数に対応する加入者送受信装置のみを稼働状態にするともにメモリを動作させるようにして、電話の使用率が低いとき、制御装置を介して制御することで、加入者側の伝送装置における特定の加入者数に対応する回路のみに電力を供給する構成が開示されている。
【０００８】
又、特開平１０−３２７２５９号公報には、電話回線の被呼信号を検出した電源制御装置はスイッチをオンにしてモデム装置への電源を接続し、電源が接続されたモデム装置は、回線を開いて外部装置からの受信データを一時的にＲＡＭへ格納し、通信処理終了後に情報処理部の電源が接続されて、ＲＡＭから受信データが情報処理部へと引き上げられ、受信データが存在しない場合は、情報処理部の電源は接続されないという構成が開示されている。このようにして、通信待機時の省電力化を図り、パーソナルコンピュータのランニングコストの低減及び耐久性の問題を解消する。
【０００９】
更に、特開平１１−５５６９８号公報には、加入者線インタフェース回路の内部信号より交換局内の交換機への状態表示ビットを抽出し、抽出した制御ビット／状態表示ビットをパワーダウン制御回路へ供給してパワーダウン制御信号を生成し、このパワーダウン制御信号を加入者線インタフェース回路へ供給し、加入者線が待機／停止状態のとき、パワーダウン制御回路がパワーダウン制御信号によって加入者線インタフェース回路に対してパワーダウン制御をかけ、加入者線インタフェース回路内のＣＰＵ回路に対してリセットし、１５．３６ＭＨｚマスタクロックの供給を停止させることによって、従来に比べ消費電力を低減した加入者線終端装置が開示されている。
【００１０】
そして、特開平１１−３１７７５９号公報には、ＡＴＭ−ＰＤＳ（Ｐａｓｓｉｖｅ　Ｄｏｕｂｌｅ　Ｓｔａｒ）方式により構成されたアクセス網において、光加入者線終端装置（ＯＮＵ：Ｏｐｔｉｃａｌ　Ｎｅｔｗｏｒｋ　Ｕｎｉｔ）は、加入者線端局装置より送られてくるＰＤＳセルから当該ＰＤＳセルの宛先ＯＮＵを示す情報を抽出する宛先ＯＮＵ情報抽出回路と、当該ＰＤＳセルの宛先ＯＮＵが自ＯＮＵか否かを判定するセル宛先判定回路と、当該ＰＤＳセルが自ＯＮＵ宛でない場合にはクロック停止信号をオンとするクロック停止制御回路と、クロック停止信号がオンの場合には自ＯＮＵ宛のＰＤＳセルの受信時にのみ動作する回路のクロック供給を停止するＡＴＭ−ＰＤＳプロトコル処理回路を備えることによって、消費電力を低減した光加入者線終端装置及びその消費電力低減方法が開示されている。
【００１１】
【発明が解決しようとする課題】
従来の加入者伝送装置には、以下に説明する問題点があった。
図３に示した、端末とモデムと回線カードと上位装置とから成り、ＡＴＭセルのデータによってデータ通信を行なう加入者伝送装置においては、モデムと回線カード間でデータの授受が無い場合でも、モデム２３及び回線カード２４間は機能を維持しており、常時接続している回線カード２４及びモデム２３で無駄な電力が消費されていた。
【００１２】
又、特開平７−８７２３５号公報、特開平１０−３２７２５９号公報、特開平１１−５５６９８号公報、及び特開平１１−３１７７５９号公報で開示されている技術は、適応するためには回路構成を変更する必要がある、方式そのものが複雑である、又消費電力の低減量が十分ではないといった問題があった。
【００１３】
本発明は、以上の従来技術における問題点を鑑みてなされたものであって、その目的とするところは、端末とモデムと回線カードと上位装置とから成りＡＴＭセルのデータによって通信を行なう加入者伝送装置において、前記モデムと前記回線カードの内の少なくとも一つに消費電力を低減する手段を設けた加入者伝送装置を提供することにある。
【００１４】
【課題を解決するための手段】
前記課題を解決する本出願第一の発明の加入者伝送装置は、上位装置と回線カードとモデムと端末とによって構成され、前記上位装置と前記回線カードとの間及び前記モデムと前記端末との間をＡＴＭセルのデータで通信するように構成して成る加入者伝送装置において、前記回線カードと前記モデムの内の少なくとも一つに有効なデータの有無を監視するパケット通信監視機能と、有効なデータの有無により送信部の起動、停止を制御する送信機能制御回路と、該送信機能制御回路の命令により機能停止、起動を実行する送信部と、該送信部が停止中に有効なデータを格納するバッファとを備えることを特徴とする。
【００１５】
したがって以上の本出願第一の発明の加入者伝送装置によれば、回線カードとモデムの内の少なくとも一方で、パケット通信監視機能によって有効なデータの有無を監視し、この有効なデータの有無により送信部の機能の停止、起動を送信機能制御回路が行なうように構成しているので、有効で無いデータが送信されて来た場合には、回線カードとモデムの内の少なくとも一方で、送信機の機能を停止して消費電力を低減することができる。
【００１６】
前記課題を解決する本出願第二の発明の加入者伝送装置は、本出願第１の発明の加入者伝送装置において、モデムは、送信部と、該送信部に接続されるバッファと、該バッファに接続されるパケット通信監視機能と、該パケット通信監視機能からの出力を受けて前記送信部に出力する送信機能制御回路とを備えることを特徴とする。
【００１７】
したがって以上の本出願第二の発明の加入者伝送装置によれば、モデム内では、パケット通信監視機能によって有効なデータの有無を監視し、この有効なデータの有無により送信部の機能の停止、起動を送信機能制御回路が行なうように構成しているので、有効で無いデータが送信されて来た場合には、モデム内の送信部の機能を停止して消費電力を低減することができる。
【００１８】
前記課題を解決する本出願第三の発明の加入者伝送装置は、本出願第２の発明の加入者伝送装置において、パケット通信監視機能は、該パケット通信監視機能と前記端末との間に接続されている受信部からの前記ＡＴＭセルで定義されているヘッダのセル損失優先表示ＣＬＰを監視し、該ＣＬＰの値が零の時に有効なデータと見なし、該有効なデータの有無を前記送信機能制御回路に報告するように構成したことを特徴とする。
【００１９】
したがって以上の本出願第三の発明の加入者伝送装置によれば、モデム内のパケット通信監視機能はＡＴＭセルヘッダのＣＬＰの値によって有効なデータの有無を監視し送信機能制御回路に報告するように構成しているので、特別な付属回路を必要とせず簡単に有効なデータの有無を監視することができる。
【００２０】
前記課題を解決する本出願第四の発明の加入者伝送装置は、本出願第１の発明の加入者伝送装置において、回線カードは、送信部と、該送信部に接続されたバッファと、該バッファに接続されたパケット通信監視機能と、該パケット通信監視機能からの出力を受けて前記送信部に出力する送信機能制御回路とを備えたことを特徴とする。
【００２１】
したがって以上の本出願第四の発明の加入者伝送装置によれば、回線カード内では、パケット通信監視機能によって有効なデータの有無を監視し、この有効なデータの有無により送信部の機能の停止、起動を送信機能制御回路が行なうように構成しているので、有効で無いデータが送信されて来た場合には、回線カード内の送信部の機能を停止して消費電力を低減することができる。
【００２２】
前記課題を解決する本出願第五の発明の加入者伝送装置は、本出願第４の発明の加入者伝送装置において、パケット通信監視機能は、前記上位装置からの前記ＡＴＭセルで定義されているヘッダのＣＬＰを監視し、該ＣＬＰの値が零の時に有効なデータと見なし、該有効なデータの有無を前記送信機能制御回路に報告するように構成したことを特徴とする。
【００２３】
したがって以上の本出願第五の発明の加入者伝送装置によれば、回線カード内のパケット通信監視機能はＡＴＭセルヘッダのＣＬＰの値によって有効なデータの有無を監視し送信機能制御回路に報告するように構成しているので、特別な付属回路を必要とせず簡単に有効なデータの有無を監視することができる。
【００２４】
前記課題を解決する本出願第六の発明の加入者伝送装置は、本出願第２乃至第５の発明の加入者伝送装置において、パケット通信監視機能は、前記上位装置又は前記端末からのデータが有効なデータの場合は前記バッファに送信し、有効でないデータの場合は廃棄するように構成したことを特徴とする。
【００２５】
したがって以上の本出願第六の発明の加入者伝送装置によれば、モデム又は回線カードのパケット通信監視機能は、有効なデータはバッファに送信し有効でないデータは破棄するように構成しているので、有効でないデータまでバッファに送信することに伴う消費電力の無駄を省くことができる。
【００２６】
前記課題を解決する本出願第七の発明の加入者伝送装置は、本出願第２又は第４の発明の加入者伝送装置において、送信機能制御回路は、前記パケット通信監視機能から有効なデータ無しの報告を受けた場合には前記送信部の機能を停止させ、有効なデータ有りの報告を受けた場合には前記送信部の機能を起動させるように構成したことを特徴とする。
【００２７】
したがって以上の本出願第七の発明の加入者伝送装置によれば、モデム又は回線カートの送信機能制御回路は、有効なデータ有りの報告を受けた場合のみ送信部の機能を起動するように構成しているので、送信部での消費電力を低減することができる。
【００２８】
前記課題を解決する本出願第八の発明の加入者伝送装置は、本出願第２又は第４の発明の加入者伝送装置において、バッファは、前記送信部が機能停止中に前記パケット通信監視機能からの有効なデータを格納するように構成したことを特徴とする。
【００２９】
したがって以上の本出願第八の発明の加入者伝送装置によれば、モデム又は回線カードのバッファは、送信部が機能停止中にパケット通信監視機能からの有効なデータを格納するように構成しているので、有効なデータを消失することを防ぐことができる。
【００３０】
前記課題を解決する本出願第九の発明の加入者伝送装置は、本出願第２又は第４の発明の加入者伝送装置において、送信部は、起動後前記バッファから有効なデータを取り出し、前記パケット通信監視機能の有効なデータをハイブリッド回路に送信するように構成したことを特徴とする。
【００３１】
したがって以上の本出願第九の発明の加入者伝送装置によれば、モデム又は回線カードの送信部は、バッファからの有効なデータを取り出しパケット通信監視機能の有効なデータをハイブリッド回路に送信するように構成しているので、有効なデータのみをハイブリッド回路に送信し有効でないデータまでを送信することに伴う消費電力の無駄を省くことができる。
【００３２】
【発明の実施の形態】
本発明の実施の形態を以下、図面を参照して詳述する。
【００３３】
本発明の加入者伝送装置は、基本構成は図３と同様であるか、モデムや回線カードの内部構成が従来と大きく異なっている。図１は、本発明の加入者伝送装置の一実施に係わり、その加入者伝送装置内のモデムの概略構成図である。１はモデム、２は端末、３は受信部、４はパケット通信監視機能、５はバッファ、６は送信部、７はハイブリッド回路、８は送信部、９は通信機能制御回路、１０は受信部である。
【００３４】
端末２に接続される加入者伝送装置のモデム１は、ハイブリッド回路７とそのハイブリッド回路７に接続される送信部６及び受信部１０、前記送信部６に接続されるバッファ５、そのバッファ５に接続されるパケット通信監視機能４、そのパケット通信監視機能４に接続されると共に前記端末２に接続される受信部３、前記パケット通信監視機能４からの出力を受けて前記送信部６に出力する送信機能制御回路９、前記受信部１０及び前記端末２に接続される送信部８を備えて構成されている。
【００３５】
この加入者伝送装置のモデム１は、加入者伝送装置の回線カードからのデータを端末２に送信し、又端末２からのデータを回線カードに送信する。このモデム１の中のパケット通信監視機能４は、受信部３からのＡＴＭセルで定義されるヘッダのセル損失優先表示ＣＬＰ（Ｃｅｌｌ　Ｌｏｓｓ　Ｐｒｉｏｒｉｔｙ）を監視し、ＣＬＰの値が零の時に有効なデータと見なし、有効なデータ通信の有無を送信機能制御回路９に報告する。
【００３６】
パケット通信監視機能４は、受信部３からのデータが有効なデータの場合はバッファ５に送信し、有効でないデータの場合は廃棄する。更に送信機能制御回路９は、パケット通信監視機能４から有効なデータ無しの報告を受けた場合には送信部６の機能を停止させ、パケット通信監視機能４から有効なデータ有りの報告を受けた場合には送信部６の機能を起動させる。
【００３７】
受信部３は、端末２からのデータを受信し、パケット通信監視機能４に送信する。バッファ５は、送信部６が機能停止中におけるパケット通信監視機能４からの有効なデータを格納する。
【００３８】
送信部６は、起動後バッファ５から有効なデータを取り出し、パケット通信監視機能４の有効なデータをハイブリッド回路７へ送信する。又、ハイブリッド回路７は、２Ｗ−４Ｗ変換を行なう。受信部１０は、ハイブリッド回路７を介して加入者伝送装置の回線カードから送信されたデータを送信部８に送信する。送信部８は、受信部１０からのデータを端末２に送信する。
【００３９】
図２は、本発明の加入者伝送装置の一実施に係わり、その加入者伝送装置内の回線カードの概略構成図である。１１は回線カード、１２はハイブリッド回路、１３は受信部、１４は送信部、１５はバッファ、１６はパケット通信監視機能、１７は送信機能制御回路である。
【００４０】
回線カード１１は、ハイブリッド回路１２、そのハイブリッド回路１２と接続された受信部１３及び送信部１４、その送信部１４に接続されたバッファ１５、そのバッファ１５に接続されたパケット通信監視機能１６、そのパケット通信監視機能１６からの出力を受けて前記送信部１４に出力する送信機能制御回路１７から構成されている。この加入者伝送装置の回線カード１１は上位装置１８からのデータを図１の加入者伝送装置のモデムに送信する。又モデムからのデータを上位装置１８に送信する。
【００４１】
回線カード１１の中のパケット通信監視機能１６は、上位装置１８からのＡＴＭセルで定義されるヘッダのＣＬＰを監視し、ＣＬＰの値が零の時に有効なデータと見なし、有効なデータの有無を送信機能制御回路１７に報告する。又パケット通信監視機能１６は、上位装置１８からのデータが有効なデータの場合はバッファ１５に送信し、有効でないデータの場合は廃棄する。
【００４２】
送信機能制御回路１７は、パケット通信監視機能１６から有効なデータ無しの報告を受けた場合には送信部１４の機能を停止させ、有効なデータ有りの報告を受けた場合には送信部１４の機能を起動させる。バッファ１５は、送信部１４が機能停止中にパケット通信監視機能１６からの有効なデータを格納する。
【００４３】
送信部１４は、起動後バッファ１５から有効なデータを取り出し、パケット通信監視機能１６からの有効なデータをハイブリッド回路１２に送信する。それによってハイブリッド回路１２は、２Ｗ−４Ｗ変換を行なう。受信部１３は、加入者伝送装置のモデムからの送信データをハイブリッド回路１２を介して受信し、上位装置１８に送信する。
【００４４】
以下、本実施の形態の加入者伝送装置の動作を説明する。尚、加入者伝送装置は、前述のように端末２とモデム１と回線カード１１と上位装置１８とから構成されていおり、説明上の都合で各部の機能を再び述べている個所がある。
【００４５】
先ず図１のモデム１の概略構成図において、パケット通信監視機能４は受信部３から通信されるＡＴＭセルで定義されるヘッダのＣＬＰを常時監視し、ＣＬＰの値が零の時に有効なデータと見なす。
【００４６】
受信部３とパケット通信監視機能４との間で一定時間有効なデータが無かった場合には、パケット通信監視機能４が送信機能制御回路９に一定時間有効なデータが無いことを報告する。受信部３とパケット通信監視機能４との間で一定時間有効なデータが無い報告を受けた送信機能制御回路９は、送信部６の機能を停止させる。パケット通信監視機能４は送信部６が機能停止している間にも受信部３から有効なデータが有るかどうかを監視する。パケット通信監視機能４が受信部３から有効なデータを受信したら、送信機能制御回路９に報告する。有効なデータを受信した報告を受けた送信機能制御回路９は送信部６を起動させる。パケット通信監視機能４は、送信部６が起動、停止に関わらず受信部３とパケット通信監視機能４との間の有効なデータの有無を監視し、有効なデータの場合はバッファ５に送信し、格納する。又有効なデータで無い場合は廃棄する。
【００４７】
送信部６が起動したら、送信部６がバッファ５から有効なデータを取り出し、２Ｗ−４Ｗ変換を行なうハイブリッド回路７を介して加入者伝送装置回線カードに出力する。送信部６の機能を起動する時には、通常の立ち上げ手順では時間がかかる為に立ち上げ時間を早くする方法としてＩＴＵ−Ｔ勧告Ｇ．９９２．２の１２章Ｆａｓｔ　Ｒｅｔｒａｉｎの立ち上げ方法に従って起動させる。
【００４８】
次に図２の回線カード１１の機能ブロック図において、回線カード１１の中のパケット通信監視機能１６は上位装置１８から通信されるＡＴＭセルで定義されるヘッダのＣＬＰを常時監視し、ＣＬＰの値が零の時に有効なデータと見なす。上位装置１８とパケット通信監視機能１６との間で一定時間有効なデータが無かった場合には、パケット通信監視機能１６が送信機能制御回路１７に一定時間有効なデータが無いことを報告する。上位装置１８とパケット通信監視機能１６との間で一定時間有効なデータが無い報告を受けた送信機能制御回路１７は送信部１４の機能を停止させる。
【００４９】
パケット通信監視機能１６は送信部１４が機能停止している間にも上位装置１８から有効なデータが有るかを監視する。パケット通信監視機能１６が上位装置１８から有効なデータを受信したら、送信機能制御回路１７に報告する。有効なデータを受信した報告を受けた送信機能制御回路１７は、送信部１４を起動させる。パケット通信監視機能１６は、送信部１４が起動、停止に関わらず上位装置１８とパケット通信監視機能１６との間の有効なデータの有無を監視し、有効なデータの場合はバッファ１５に送信し、格納する。又、有効なデータで無い場合は廃棄する。
【００５０】
送信部１４が起動したら、送信部１４がバッファ１５から有効なデータを取り出し、２Ｗ−４Ｗ変換を行なうハイブリッド回路１２を介して加入者伝送装置のモデム１に出力する。送信部１４の機能を起動する時には、通常の立ち上げ手順では時間がかかる為に立ち上げ時間を早くする方法としてＩＴＵ−Ｔ勧告Ｇ．９９２．２の１２章　Ｆａｓｔ　Ｒｅｔｒａｉｎの立ち上げ方法に従って起動させることができる。
【００５１】
以上で説明したように、加入者伝送装置を構成するモデム１と回線カード１１の内の少なくとも一つに、上述の消費電力低減手段を設けることで、加入者伝送装置の全体の消費電力を大幅に低減することが可能になった。尚、モデム１と回線カード１１の両方に上述の消費電力低減手段を設けることが望ましいことは言うまでも無い。
【００５２】
【発明の効果】
以上のように、本発明の加入者伝送装置によれば、端末とモデムと回線カードと上位装置とから構成される加入者伝送装置において、モデムと回線カード間で有効なデータの授受の無い場合に、回線カード及びモデムの送信部の機能を停止させることにより、常時接続している回線カード及びモデムの消費電力を低減させ、その結果、加入者伝送装置の全体の電力消費を低減させることができるという優れた効果を発揮する。
【図面の簡単な説明】
【図１】本発明の加入者伝送装置の一実施例に係わり、モデムの概略構成図である。
【図２】本発明の加入者伝送装置の一実施例に係わり、回線カードの概略構成図である。
【図３】従来の加入者伝送装置に係わり、概略構成図とプロトコルスタックについて示した説明図である。
【符号の説明】
１　モデム
２　端末
３　受信部
４　パケット通信監視機能
５　バッファ
６　通信部
７　ハイブリッド回路
８　送信部
９　通信機能制御回路
１０　受信部
１１　回線カード
１２　ハイブリッド回路
１３　受信部
１４　送信部
１５　バッファ
１６　パケット通信監視機能
１７　送信機能制御回路
１８　上位装置
２１　加入者伝送装置
２２　端末
２３　モデム
２４　回線カード
２５　上位装置
２６　ＨＴＴＰ
２７　ＴＣＰ
２８　ＩＰ
２９　ＰＰＰ
３０　ＡＡＬ５
３１　ＡＴＭセル
３２　Ｅｔｈｅｒ
３３　ＡＤＳＬ
３４　ＯＣ−３
【図１】
2004064458.tif 000003
【図２】
2004064458.tif 000004
【図３】
2004064458.tif 000005